(57)【要約】【課題】電源全体の効率を向上させ、かつ、発光負荷がちらつかず安定した調光を行うと共に、かつ、任意の調光を制御可能とすること。【解決手段】所定電圧をスイッチング制御して別電圧に変換するスイッチング制御回路部９と、上記スイッチング制御ＩＣ９により制御された上記別電圧を直流化ないしは脈流化して出力する直流化回路１１と、を含み、直流化回路１１と発光負荷１２との間に介装した調光素子３１を含む調光制御回路３０を具備し、上記調光制御回路は、調光素子３１の調光タイミングをＰＷＭ制御することにより、直流化回路１１の出力電圧を調光素子３１を介して発光負荷１２に印加して発光負荷１２の調光を制御する。【選択図】図３
2011114901.tif 000002
【特許請求の範囲】
【請求項１】
所定電圧をスイッチング制御して別電圧に変換するスイッチング制御部と、上記スイッチング制御部により制御された上記別電圧を直流化して出力する直流化回路と、を含み、上記直流化回路の出力電圧に基づいて発光負荷の発光を調光するようにした電源装置であって、
上記直流化回路と上記発光負荷との間に介装された調光素子と、上記調光素子をＰＷＭ制御によりＯＮ／ＯＦＦする回路部と、を含む調光制御回路を具備した、ことを特徴とする電源装置。
【請求項２】
上記調光制御回路は、上記ＰＷＭ制御のためのＰＷＭパルスのデューティが所定値になると、上記発光負荷の発光を消灯させる消灯制御回路部を含む、ことを特徴とする請求項１に記載の装置。
【請求項３】
上記調光制御回路は、ＰＷＭパルスのデューティを設定されたデューティに変更し、その変更したＰＷＭパルスを出力するＰＷＭパルス出力回路部を含む、ことを特徴とする請求項１または２に記載の装置。
【請求項４】
一次側に交流電源が直流化ないしは脈流化された電圧が印加されるコンバータトランスを含み、上記スイッチング制御部においては上記直流化電圧を上記所定電圧としてコンバータトランス二次側において上記別電圧に変換制御する、ことを特徴とする請求項１ないし３のいずれかに記載の装置。
【請求項５】
請求項１ないし４のいずれかに記載の装置と、
上記装置により発光が調光される発光負荷と、
を具備した、ことを特徴とする調光装置。
【発明の詳細な説明】
【技術分野】
【０００１】
本発明は、出力電圧のＰＷＭ制御により発光負荷を調光することが可能な電源装置およびこの電源装置を含み発光負荷の発光を上記出力電圧のＰＷＭ制御により調光するようにした調光装置に関するものである。
【背景技術】
【０００２】
図７を参照して従来の電源装置を説明する。この電源装置はスイッチング電源装置に適用する。図７において、交流電源１の交流電圧はヒューズ２からノイズフィルタ３を介して一次側直流化回路４内の全波整流回路５で全波整流されると共にＰＦＣ（力率改善）回路６を介して平滑コンデンサ７で直流化されたうえでコンバータトランス８の一次側８ａに印加される。
【０００３】
一次側直流化回路４からの直流化電圧は、スイッチング制御ＩＣ９によりスイッチング素子回路１０内のスイッチング素子Ｑ１，Ｑ２をスイッチング制御して、コンバータトランス８の二次側８ｂから交流電圧に変換されて出力される。
【０００４】
コンバータトランス８の二次側８ｂから出力された交流電圧は、二次側直流化回路１１で直流化され、その直流化出力電圧Ｖ０は、直列接続された複数のＬＥＤからなる発光負荷１２に印加される。これにより発光負荷１２は点灯する。
【０００５】
直流化出力電圧Ｖ０は電圧検出回路１３で検出され、フィードバック回路１４内の第１比較回路１５で基準電圧と比較されフォトカプラ１６を介してスイッチング制御ＩＣ９に入力される。スイッチング制御ＩＣ９は上記フォトカプラ１６の第１比較回路１５の比較出力から直流化出力電圧Ｖ０を安定化制御する。フォトカプラ１６は図示を略するが発光ダイオードと受光トランジスタとを含み、発光ダイオード発光電流は第１比較回路１５出力で制御される。
【０００６】
フィードバック回路１４は、さらに、第２比較回路１７およびＰＷＭ−ＤＣ変換部１８を含み、ＰＷＭ（パルス幅変調）パルスはＰＷＭ−ＤＣ変換部１８で直流電圧に変換されたうえで、第２比較回路１７で基準電圧と比較され、ＰＷＭパルスのデューティに応じて第１比較回路１５からフォトカプラ１６内発光ダイオードへの出力電流を吸い込む。これにより、スイッチング制御ＩＣ９におけるスイッチング制御においては、図８で示す調光特性のように、発光負荷１２への印加電圧をＰＷＭ制御して発光負荷１２を調光制御することができるようになる。
【０００７】
図８において横軸はＰＷＭパルスのデューティ（％）、縦軸は発光負荷１２への印加電圧（二次側直流化回路１１の出力電圧Ｖ０）を示す。図８を詳しく説明すると、ＰＷＭパルスのデューティが０％では出力電圧Ｖ０は１８Ｖであり、デューティが１００％では出力電圧Ｖ０は２８Ｖである。このようにデューティ０％から１００％までの範囲で出力電圧Ｖ０は１８−２８Ｖまでの範囲で変化して発光負荷１２を調光することとなる。
【０００８】
コンバータトランス８のもう１つの一次側８ｃには別の直流化回路１９があり、この直流化回路１９の出力電圧Ｖ１は電圧安定化回路２０で安定化されたうえでＰＦＣ回路６やスイッチング制御ＩＣ９の動作電源として使用される一方、さらに、コンバータトランス８のもう１つの二次側８ｄには別の直流化回路２１があり、この直流化回路２１の出力電圧Ｖ２は電圧安定化回路２２を介して図示略の回路や装置等へその動作電源として供給されるようになっている。
【０００９】
なお、ＰＷＭ制御、コンバータトランス等を備えたスイッチング電源装置は例えば下記特許文献１に開示されたものがあり、また、発光負荷を駆動するスイッチング電源装置には下記特許文献２に開示されたものがあり、参考例として挙げる。
【先行技術文献】
【特許文献】
【００１０】
【特許文献１】特開２００５−１７６５３５号公報
【特許文献２】特開２００９−２０００５３号公報
【発明の概要】
【発明が解決しようとする課題】
【００１１】
以上説明した電源装置においてはその調光制御において以下で説明するごとき課題がある。
【００１２】
すなわち、従来の電源装置においては、発光負荷１２に印加する出力電圧Ｖ０が変化すると、それに応じて直流化回路１９の出力電圧Ｖ１、および直流化回路２１の出力電圧Ｖ２も変化する構成となっている。
【００１３】
一方、発光負荷１２への印加電圧Ｖ０は調光に応じて図８の調光特性ではＰＷＭパルスのデューティ０％から１００％までの範囲で１８−２８Ｖまでの範囲で変化する一方、出力電圧Ｖ１、Ｖ２もそれに対応比例した変化をする。
【００１４】
そして、電圧安定化回路２０，２２では当該回路入力側に入力されて上記範囲で変化する出力電圧Ｖ１，Ｖ２を当該回路出力側では例えば５Ｖ程度に変換して安定化させる必要があり、その電圧降下分、損失が大きくなり、電源全体の効率が低下した調光制御になるという課題がある。
【００１５】
また、ＰＷＭパルスのデューティ０％では発光負荷１２を点灯させる出力電圧Ｖ０が１８Ｖであるが、発光負荷１２が直列接続した複数のＬＥＤで構成されていたり、同様の発光負荷１２を複数並列接続している場合では、このような微小出力の出力電圧Ｖ０とした場合、ＬＥＤのばらつきにより点灯状態が安定しないＬＥＤも存在し、全体的に点灯ちらつきが発生しやすく、調光制御が不安定化するという課題がある。
【００１６】
さらに、出力電圧Ｖ０による制御では、発光負荷１２を点灯と消灯との間で任意に調光制御することが困難であるという課題がある。
【００１７】
したがって、本発明においては、電源全体の効率を向上させ、かつ、発光負荷がちらつかず安定した調光を行うと共に、かつ、任意の調光を容易に制御可能とすることを解決すべき課題としている。
【課題を解決するための手段】
【００１８】
本発明による電源装置は、所定電圧をスイッチング制御して別電圧に変換するスイッチング制御部と、上記スイッチング制御部により制御された上記別電圧を直流化して出力する直流化回路と、を含み、上記直流化回路の出力電圧に基づいて発光負荷の発光を調光するようにした電源装置であって、上記直流化回路と上記発光負荷との間に介装されかつＰＷＭ制御によりＯＮ／ＯＦＦする調光素子を含む調光制御回路を具備する、ことを特徴とするものである。
【００１９】
なお、直流化回路には例えばダイオードと平滑コンデンサ等の組合せがあるが、これに限定されない。発光負荷は例えばＬＥＤがあるが、ＬＥＤに限定されず何でもよい。また、調光素子としては例えばトランジスタがあるが、トランジスタに特に限定されない。
【００２０】
本発明では、発光負荷用の直流化回路と発光負荷との間に調光素子を介装して発光負荷を発光負荷用直流化回路から切り離した構成としたことで、発光負荷に対する発光調光のために当該直流化回路の出力電圧をスイッチング制御部でＰＷＭ制御しても、そのスイッチング制御部で制御されて直流化電圧を生成する他の直流化回路における直流化電圧に影響するようなことをなくすことができるようになる。よって、本発明では、電源全体の効率が向上する。そして、本発明では、上記調光素子の調光タイミングをＰＷＭ制御することにより、上記直流化回路の出力電圧を上記調光素子を介して上記発光負荷に印加して上記発光負荷の調光を制御するようにしたから、発光負荷がちらつかず安定した調光を行うことが可能になると共に、任意の調光制御が可能となる。
【００２１】
本発明において、好ましい態様は、上記調光制御回路は、上記ＰＷＭ制御のためのＰＷＭパルスのデューティが所定値になると、上記発光負荷の発光を消灯させる消灯制御回路部を含むことである。
【００２２】
この態様では、ＰＷＭパルスのデューティが所定値になると、消灯制御回路部により発光負荷の発光を消灯させることができ、発光負荷のちらつきを効果的に防止することができるようになる。
【００２３】
本発明において、別の好ましい態様は、上記調光制御回路は、ＰＷＭパルスのデューティを設定されたデューティに変更し、その変更したＰＷＭパルスを出力するＰＷＭパルス出力回路部を含むことである。
【００２４】
この態様では、例えば２０−８０％のデューティのＰＷＭパルスを例えば１０−９０％のデューティのＰＷＭパルスに変更するなど、ＰＷＭパルスのデューティを任意デューティに設定して、発光負荷のちらつきを防止できるデューティに設定することができる。
【００２５】
本発明において、別の好ましい態様は、一次側に交流電源が直流化ないしは脈流化された電圧が印加されるコンバータトランスを含み、上記スイッチング制御部においては上記直流化電圧を上記所定電圧としてコンバータトランス二次側において上記別電圧に変換制御することである。
【００２６】
この態様ではコンバータトランスの一次側、二次側に別の直流化回路が接続され、この直流化回路に電圧安定化回路を接続した構成とした場合に、上記直流化回路の出力電圧とは無関係にこれら電圧安定化回路への入力電圧を低く設定することができ、これにより電源効率を向上させることができる。
【００２７】
本発明による調光装置は、上記に記載した電源装置と、上記電源装置により発光が調光される発光負荷と、を具備した、ことを特徴とするものである。
【発明の効果】
【００２８】
本発明によれば、電源全体の効率を向上させ、かつ、発光負荷がちらつかず安定した調光を行うと共に、かつ、任意の調光を制御可能とすることができる。
【図面の簡単な説明】
【００２９】
【図１】図１は、本発明の実施の形態にかかるスイッチング電源装置を示す図である。
【図２】図２は、本発明の別の実施の形態にかかるスイッチング電源装置を示す図である。
【図３】図３は、本発明のさらに別の実施の形態にかかるスイッチング電源装置を示す図である。
【図４】図４は、図３の実施の形態において直流変換されたＰＷＭパルスのデューティを別のデューティにスケール変換する場合の説明に供する図である。
【図５】図５は、図４のＰＷＭパルスのデューティを別のデューティにスケール変換する場合の説明に供する図である。
【図６】図６は図３の実施の形態のスイッチング電源装置における調光制御の説明に供する図である。
【図７】図７は従来例にかかるスイッチング電源装置を示す図である。
【図８】図８は図７のスイッチング電源装置による調光制御の説明に供する図である。
【発明を実施するための形態】
【００３０】
以下、添付した図面を参照して、本発明の実施の形態に係るスイッチング電源装置を説明する。
【００３１】
図１を参照して、実施の形態のスイッチング電源装置を説明する。図１において、図７に示すスイッチング電源装置と対応する部分には同一の符号を付している。図７の説明と重複するが、図１を参照して、交流電源１はヒューズ２からノイズフィルタ３を介して一次側直流化回路４内では全波整流回路５で全波整流されると共にＰＦＣ（力率改善）回路６を介して平滑コンデンサ７で直流化されたうえでコンバータトランス８の一次側８ａに印加される。一次側直流化回路４からの直流化ないしは脈流化された電圧は、スイッチング制御ＩＣ９によりスイッチング素子回路１０内のスイッチング素子Ｑ１，Ｑ２でスイッチング制御されて、コンバータトランス８の二次側８ｂから交流電圧に変換されて出力される。コンバータトランス８の二次側８ｂから出力された交流電圧は二次側直流化回路１１で出力電圧Ｖ０に直流化される。
【００３２】
二次側直流化回路１１の出力電圧Ｖ０は電圧検出回路１３で検出され、フィードバック回路１４内の第１比較回路１５で基準電圧と比較されフォトカプラ１６を介してスイッチング制御ＩＣ９に入力される。スイッチング制御ＩＣ９は上記フォトカプラ１６出力から直流化出力電圧Ｖ０を安定化制御する。フォトカプラ１６は図示を略するが発光ダイオードと受光トランジスタとを含み、発光ダイオードへの発光電流を第１比較回路１５出力で制御する。
【００３３】
ここで、実施の形態では、フィードバック回路１４に、図７で示す第２比較回路１７およびＰＷＭ−ＤＣ変換部１８を含まない構成となっている。
【００３４】
コンバータトランス８のもう１つの一次側８ｃには別の直流化回路１９があり、この直流化回路１９の出力電圧Ｖ１は電圧安定化回路２０で安定化されたうえでＰＦＣ回路６やスイッチング制御ＩＣ９の動作電源として使用される一方、さらに、コンバータトランス８のもう１つの二次側８ｄには別の直流化回路２１があり、この直流化回路２１の出力電圧Ｖ２は電圧安定化回路２２を介して図示略の装置等へ動作電源として供給されるようになっている。
【００３５】
以上説明したスイッチング電源装置において実施の形態では、調光制御回路３０を具備すると共に、この調光制御回路３０においては、直流化回路１１と発光負荷１２との間に介装した調光トランジスタ３１を調光素子として含む。
【００３６】
また、調光制御回路３０は、ＰＷＭパルスによりＯＮ／ＯＦＦして調光トランジスタ３１をＯＮ／ＯＦＦ駆動する駆動トランジスタ３２を含む。ＰＷＭパルスは調光制御回路３０の入力端子３３に印加されて調光制御回路３０内に入力される。ＰＷＭパルスのデューティ調整により、直流化回路１１の出力電圧Ｖ０を、そのデューティに対応した出力電圧Ｖ０´に変換し、その変換した出力電圧Ｖ０´を発光負荷１２に印加することにより、当該発光負荷１２の発光を調光することができる。
【００３７】
以上説明した実施の形態の調光制御回路３０においては、直流化回路１１と発光負荷１２との間に調光素子である調光トランジスタ３１を介装し、発光負荷１２への出力電圧Ｖ０´を直流化回路１１の出力電圧Ｖ０から切り離したことで、発光負荷１２に対する発光調光のため出力電圧Ｖ０´を制御しても、他の直流化回路１９，２１の出力電圧Ｖ１，Ｖ２に影響を及ぼすことがなくなる。よって、他の直流化回路１９，２１の出力電圧Ｖ１，Ｖ２は、電圧安定化回路２０，２２で安定化させるために必要とする入力電圧として低く設定することができるようになり、これにより電源全体の効率を向上させることができるようになる。
【００３８】
そして、本発明では、上記調光素子である調光トランジスタ３１の調光タイミングをＰＷＭ制御することにより、直流化回路１１の出力電圧Ｖ０を調光トランジスタ３１を介して出力電圧Ｖ０´に変換して発光負荷１２に印加してその調光を制御することができるようになったから、発光負荷１２の発光の調光を、発光ちらつきを起こさせずに、安定して行うことが可能になる。
【００３９】
図２を参照して本発明の別の実施の形態にかかるスイッチング電源装置を説明する。図２において、図１と対応する部分には同一の符号を付すと共にその同一の符号にかかる部分の詳しい説明は省略することとする。
【００４０】
図２において、この実施の形態の調光制御回路３０Ａは、ＰＷＭ−ＤＣ変換回路部３４と、消灯制御回路部３５と、スイッチ回路部３６とを具備する。
【００４１】
ＰＷＭ−ＤＣ変換回路部３４は、入力端子３３を介して入力したＰＷＭパルスをそのデューティに対応した直流電圧に変換するようになっている。ＰＷＭ−ＤＣ変換回路部３４は、上記デューティに対応して変換した直流電圧を消灯制御回路部３５に出力する。
【００４２】
消灯制御回路部３５においては、ＰＷＭ−ＤＣ変換回路部３４から入力する直流電圧がＰＷＭパルスの所定のデューティに対応する電圧になるまでは、スイッチ回路部３６をＯＮ側に駆動してＰＷＭパルスが駆動トランジスタ３２に入力可能として調光トランジスタ３１をＰＷＭパルスによりＯＮ／ＯＦＦ制御して発光負荷１２をＰＷＭ制御により発光駆動して調光する一方、ＰＷＭ−ＤＣ変換回路部３４から入力する直流電圧が上記所定のデューティに対応しない電圧になると、スイッチ回路部３６をＯＦＦ側に駆動してＰＷＭパルスが駆動トランジスタ３２に入力されないように遮断し、これにより、調光トランジスタ３１を非導通にして発光負荷１２の発光を消灯させる。
【００４３】
以上説明したように本実施の形態では、ＰＷＭパルスのデューティを制御して発光負荷１２を発光停止させることで発光負荷１２のちらつきを防止することができるようになる。
【００４４】
図３を参照して本発明のさらに別の実施の形態にかかるスイッチング電源装置を説明する。図３において、図１および図２と対応する部分には同一の符号を付すと共にその同一の符号にかかる部分の詳しい説明は省略することとする。図３において、この実施の形態の調光制御回路３０Ｂは、ＰＷＭ−ＤＣ変換回路部３４と、消灯制御回路部３５と、スイッチ回路部３６と、に加えてさらに、三角波電圧発生回路部３７と、ＰＷＭパルス発生回路部３８と、を具備する。
【００４５】
ＰＷＭ−ＤＣ変換回路部３４は、ＰＷＭパルスをそのデューティに対応した直流電圧（ＰＷＭ−ＤＣ電圧という）に変換する。そして、ＰＷＭ−ＤＣ変換回路部３４は、その変換したＰＷＭ−ＤＣ電圧を消灯制御回路部３５と、ＰＷＭパルス出力回路部３８と、に出力する。
【００４６】
消灯制御回路部３５においては、入力するＰＷＭ−ＤＣ電圧の値が、ＰＷＭパルスのデューティが所定値に対応する値の場合には、発光負荷１２を消灯させる側の信号をスイッチ回路部３６に出力する。これによりスイッチ回路部３６はＯＦＦする結果、ＰＷＭパルス出力回路部３８からＰＷＭパルスが駆動トランジスタ３２に与えられず、これにより調光トランジスタ３１をＯＦＦし、発光負荷１２に印加する電圧を遮断する。これにより発光負荷１２は消灯する。
【００４７】
ＰＷＭパルス出力回路部３８においては、三角波電圧発生回路部３７から入力する三角波電圧ＴＰと、ＰＷＭ−ＤＣ変換回路部３４から入力するＰＷＭ−ＤＣ電圧とから、当該ＰＷＭ−ＤＣ電圧の値に対応したＰＷＭパルスを生成して出力する。
【００４８】
これを図４、図５を参照して説明する。これら図４、図５においては、ＰＷＭ−ＤＣ変換回路部３４からＰＷＭパルス出力回路部３８には、デューティが異なる２つのＰＷＭ−ＤＣ電圧が入力される例が示されている。１つの例はデューティ２０％のＰＷＭパルスを、デューティ１０％のＰＷＭパルスにスケール変換する場合である。もう１つの例は、デューティ８０％のＰＷＭパルスを、デューティ９０％のＰＷＭパルスにスケール変換する場合である。
【００４９】
まず、図４を参照して、ＰＷＭパルス発生回路部３８は、例えば、調光制御回路３０Ｂの入力端子３３にデューティ２０％のＰＷＭパルスが入力されていて、このＰＷＭパルスを例えばデューティ２０％からデューティ１０％のＰＷＭパルスにスケール変換する例を説明する。まず、ＰＷＭパルス出力回路部３８にはデューティ２０％を１０％にするという第１制御信号が入力される。まず、この第１制御信号が入力されない場合、図４（ａ）で示すように三角波電圧発生回路部３７からの三角波電圧ＴＰと、ＰＷＭ−ＤＣ変換回路部３４からのＰＷＭ−ＤＣ電圧１とが比較され、図４（ｂ）で示すように、デューティ２０％のＰＷＭパルスが生成される。このＰＷＭ−ＤＣ電圧１の直流電圧成分ＤＣは、図４（ａ）で示すように、三角波電圧ＴＰの立ち上がりを０（Ｖ）にしたＤＣ１である。
【００５０】
次に、ＰＷＭパルス出力回路部３８に上記第１制御信号が入力される。この入力に応答してＰＷＭパルス出力回路部３８は、デューティ２０％のＰＷＭ−ＤＣ電圧１の直流電圧成分ＤＣ１に上記両デューティの差分であるΔＤＣ１分を＋して直流電圧成分ＤＣ１´とし、この直流電圧成分ＤＣ１´と三角波電圧ＴＰとを図４（ｃ）で示すように比較することで、図４（ｄ）で示すようにデューティ１０％のＰＷＭパルスを生成して出力する。
【００５１】
以上からＰＷＭパルス出力回路部３８からはデューティを２０％から１０％にスケール変換されたＰＷＭパルスが出力される。
【００５２】
同様に、図５を参照して、ＰＷＭパルス出力回路部３８は、デューティを８０％に制御する第２制御信号に応答して、ＰＷＭ−ＤＣ変換回路部３４から入力されるＰＷＭ−ＤＣ電圧２の直流電圧成分ＤＣ２と三角波電圧ＴＰとを図５（ａ）で示すように比較することで、図５（ｂ）で示すようにそのデューティ８０％に対応したＰＷＭパルス２を生成する。
【００５３】
次に、ＰＷＭパルス出力回路部３８にデューティを９０％とする第２制御信号が入力される。この入力に応答してＰＷＭパルス出力回路部３８は、デューティ８０％のＰＷＭ−ＤＣ電圧２の直流電圧成分ＤＣ２に上記両デューティの差分１０％に相当するΔＤＣ２分をマイナスして直流電圧成分ＤＣ２´とし、この直流電圧成分ＤＣ２´と三角波電圧ＴＰとを図５（ｃ）で示すように比較することで、図５（ｄ）で示すようにデューティ９０％のＰＷＭパルスを生成して出力する。
【００５４】
以上からＰＷＭパルス出力回路部３８において、ＰＷＭパルスのデューティを任意の値にスケール変換することができる。
【００５５】
そして、ＰＷＭパルス出力回路部３８からスイッチ回路部３６に任意デューティのＰＷＭパルスが入力される。スイッチ回路部３５は、消灯制御回路部３５から消灯制御信号が入力されない限り、ＰＷＭパルス出力回路部３８をトランジスタ３２に接続している。これにより、トランジスタ３２は任意デューティのＰＷＭパルスによりＯＮ駆動され、トランジスタ３１はそのデューティに従ってＯＦＦ駆動される結果、発光負荷１２は対応するデューティのＰＷＭパルスにより発光駆動される。
【００５６】
なお、図６を参照して実施形態のスイッチング電源装置における調光特性を説明する。図６において横軸はＰＷＭパルスのデューティ、縦軸は出力電力（Ｗ）とする。この調光特性で示すように、ＰＷＭパルスのデューティを任意のデューティに設定することができると共に、どのデューティにおいても電源効率に影響することなく発光負荷１２のちらつきを防止できるようにデューティに設定することができる。
【００５７】
以上説明したように本実施形態では、調光制御回路３０Ｂに、ＰＷＭパルスのデューティを設定されたデューティに変更し、その変更したＰＷＭパルスを出力するＰＷＭパルス出力回路部３８を含むので、例えば２０−８０％のデューティのＰＷＭパルスを例えば１０−９０％のデューティのＰＷＭパルスに変更するなど、ＰＷＭパルスのデューティを任意デューティに設定して、発光負荷１２のちらつきを防止できるデューティに設定することができる。
【符号の説明】
【００５８】
１  交流電源回路
２  ヒューズ
３  ノイズフィルタ
４  一次側直流化回路
５  全波整流回路
６  ＰＦＣ（力率改善）回路
７  平滑コンデンサ
８  コンバータトランス
９  スイッチング制御ＩＣ
１０  スイッチング素子回路
１１  二次側直流化回路
１２  発光負荷
１３  電圧検出回路
１４  フィードバック回路
１５  第１比較回路
１６  フォトカプラ
１９  直流化回路
２０  電圧安定化回路
２１  直流化回路
２２  電圧安定化回路
３０  調光制御回路
３１  調光トランジスタ（調光素子）
３２  駆動トランジスタ
３４  ＰＷＭ−ＤＣ変換回路部
３５  消灯制御回路部
３６  スイッチ回路部
３７  三角波電圧発生回路部
３８  ＰＷＭパルス出力回路部
【図１】
2011114901.tif 000003
【図２】
2011114901.tif 000004
【図３】
2011114901.tif 000005
【図４】
2011114901.tif 000006
【図５】
2011114901.tif 000007
【図６】
2011114901.tif 000008
【図７】
2011114901.tif 000009
【図８】
2011114901.tif 000010